(57)【特許請求の範囲】
【請求項１】
ＩＣカードの接点部に接触する複数の接触端子を有するハウジングと、このハウジング内に着脱される前記ＩＣカードの挿入及び排出方向にスライド移動可能で、前記ＩＣカードを排出方向へ押し出すスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材と、待機位置と押し込み位置との間を移動可能に配設され、押圧操作によって前記ロック部材のロックを解除して、前記スライド部材を前記ＩＣカードの排出位置まで移動させるプッシュロッドとを備え、前記プッシュロッドには、前記スライド部材が前記ＩＣカードの排出方向へ移動するのを阻止するストッパー部を設け、前記プッシュロッドが前記押し込み位置まで押圧された時、前記スライド部材は、前記ＩＣカードの前記接点部が複数の前記接触端子の全てから離脱する前に前記ストッパー部に当接すると共に、前記プッシュロッドが前記待機位置に移動するのに伴って前記ＩＣカードの排出位置に移動するように形成したことを特徴とするＩＣカード用コネクタ。
【請求項２】
前記ハウジングには、複数の前記接触端子の端子長さを、適宜異ならせた状態で配設し、前記ＩＣカードの挿着時には、前記接触端子と前記ＩＣカードの前記接点部との接触位置をそれぞれ異ならせると共に、前記スライド部材は、前記ＩＣカードの前記接点部が、適宜長さの異なる前記接触端子の一部の接触端子と接触した状態において前記ストッパー部に当接するように形成したことを特徴とする請求項１記載のＩＣカード用コネクタ。
【請求項３】
前記ＩＣカードが前記スライド部材と共にＩＣカードの排出方向へ移動可能とし、前記スライド部材を付勢する前記復帰ばねにより、前記プッシュロッドを前記押し込み位置から前記待機位置に復帰させるようにしたことを特徴とする請求項１、又は２記載のＩＣカード用コネクタ。
【請求項４】
前記ロック部材は、前記プッシュロッドの押圧操作によって前記ハウジング内に着脱される前記ＩＣカードの平坦面に直交する方向へ回動可能なように配設されると共に、前記スライド部材を付勢する前記復帰ばねにより、前記ロック部材をロック位置へ付勢するように形成したことを特徴とする請求項１乃至３の何れかに記載のＩＣカード用コネクタ。
【請求項５】
前記スライド部材は、前記ハウジング内にスライド移動可能に配設されていると共に、前記復帰ばねで前記ＩＣカード側へ回動可能に付勢されていることを特徴とする請求項１乃至４の何れかに記載のＩＣカード用コネクタ。
【請求項６】
前記スライド部材には、前記ＩＣカードの側面部に当接し、前記ＩＣカードを前記ハウジングの内壁部に押圧する押圧突部を形成したことを特徴とする請求項１乃至５の何れかに記載のＩＣカード用コネクタ。
【請求項７】
前記ハウジングの上面側に、平板状の金属板からなるカバー部材を備え、このカバー部材に前記ＩＣカードの上面部を押圧するばね片を切り曲げ形成したことを特徴とする請求項１乃至６の何れかに記載のＩＣカード用コネクタ。
【発明の詳細な説明】
【０００１】
【発明の属する技術分野】
本発明は、パーソナルコンピュータなどの記憶媒体などに用いられるＰＣカードや、デジタルカメラなどの電子機器などに使用されるＣＦ（コンパクトフラッシュ）カードなどに使用される、ＩＣカード用コネクタの構造に関する
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み取りを行うが、このＩＣカードを着脱する場合に、その操作性を向上させるために、ＩＣカード用コネクタにはＩＣカードを排出する時の排出機構を備えたものがある。
【０００４】
この従来のＩＣカードの排出機構としては、ＩＣカードを搬送するスライド部材と、このスライド部材をＩＣカードの挿着位置に保持させるロック部材と、このロック部材が解除された場合にはスライド部材を排出方向へ付勢するばね部材を設け、スライド部材の排出方向への移動に伴ってＩＣカードが排出される時、このばね部材の付勢力でＩＣカードが排出方向へ押し出される構造となったものが知られている。
【０００５】
【発明が解決しようとする課題】
しかしながら、上述した従来のＩＣカード用コネクタの構造においては、スライド部材を排出方向へ付勢するばね部材の付勢力で、ＩＣカードを搬送するスライド部材と共に、ＩＣカードを排出方向へ付勢する構造となっていることから、このばね部材の付勢力で、ＩＣカードが、ＩＣカード用コネクタから外れて飛び出してしまうという問題があった。
【０００６】
また、ＩＣカードが飛び出さないように、ばね部材の付勢力を調整して弱くすることも可能であるが、ばね部材の付勢力を弱くすると、ＩＣカードを排出するための必要なストロークを確保することが難しく、ＩＣカードの取り出しが困難になるという問題があった。
【０００７】
したがって、本発明では上述した問題点を解決し、ＩＣカードの排出機構を備えたＩＣカード用コネクタの構造で、スライド部材を付勢するばね部材の付勢力を弱くすることなく、ばね部材の付勢力でＩＣカードがＩＣカード用コネクタから外れて飛び出すことを防止できると共に、ＩＣカードを取り出す時には容易に取り出すことができるＩＣカード用コネクタを提供することを目的とする。
【０００８】
【課題を解決するための手段】
上記課題を解決するために本発明では第１の手段として、ＩＣカードの接点部に接触する複数の接触端子を有するハウジングと、このハウジング内に着脱される前記ＩＣカードの挿入及び排出方向にスライド移動可能で、前記ＩＣカードを排出方向へ押し出すスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材と、待機位置と押し込み位置との間を移動可能に配設され、押圧操作によって前記ロック部材のロックを解除して、前記スライド部材を前記ＩＣカードの排出位置まで移動させるプッシュロッドとを備え、前記プッシュロッドには、前記スライド部材が前記ＩＣカードの排出方向へ移動するのを阻止するストッパー部を設け、前記プッシュロッドが前記押し込み位置まで押圧された時、前記スライド部材は、前記ＩＣカードの前記接点部が複数の前記接触端子の全てから離脱する前に前記ストッパー部に当接すると共に、前記プッシュロッドが前記待機位置に移動するのに伴って前記ＩＣカードの排出位置に移動するように形成したことを特徴とする。
【０００９】
また、第２の手段として、前記ハウジングには、複数の前記接触端子の端子長さを、適宜異ならせた状態で配設し、前記ＩＣカードの挿着時には、前記接触端子と前記ＩＣカードの前記接点部との接触位置をそれぞれ異ならせると共に、前記スライド部材は、前記ＩＣカードの前記接点部が、適宜長さの異なる前記接触端子の一部の接触端子と接触した状態において前記ストッパー部に当接するように形成したことを特徴とする。
【００１０】
また、第３の手段として、前記ＩＣカードが前記スライド部材と共にＩＣカードの排出方向へ移動可能とし、前記スライド部材を付勢する前記復帰ばねにより、前記プッシュロッドを前記押し込み位置から前記待機位置に復帰させるようにしたことを特徴とする。
【００１１】
また、第４の手段として、前記ロック部材は、前記プッシュロッドの押圧操作によって前記ハウジング内に着脱される前記ＩＣカードの平坦面に直交する方向へ回動可能なように配設されると共に、前記スライド部材を付勢する前記復帰ばねにより、前記ロック部材をロック位置へ付勢するように形成したことを特徴とする。
【００１２】
また、第５の手段として、前記スライド部材は、前記ハウジング内にスライド移動可能に配設されていると共に、前記復帰ばねで前記ＩＣカード側へ回動可能に付勢されていることを特徴とする。
【００１３】
また、第６の手段として、前記スライド部材には、前記ＩＣカードの側面部に当接し、前記ＩＣカードを前記ハウジングの内壁部に押圧する押圧突部を形成したことを特徴とする。
【００１４】
また、第７の手段として、前記ハウジングの上面側に、平板状の金属板からなるカバー部材を備え、このカバー部材に前記ＩＣカードの上面部を押圧するばね片を切り曲げ形成したことを特徴とする。
【００１５】
【発明の実施の形態】
以下、本発明の１実施例を図１乃至図３１に示す。図１は本発明のＩＣカード用コネクタを示す平面図、図２は同じくカバーを外した状態の平面図、図３はハウジングの平面図、図４は同じく正面図、図５はＩＣカードの平面図、図６は同じく底面図、図７はスライド部材の平面図、図８は同じく側面図、図９はロック部材の平面図、図１０は同じく側面図、図１１はロック部材とハウジングの取付関係図、図１２はスライド部材とロック部材をハウジングに取り付けた状態の関係図、図１３はプッシュロッドの平面図、図１４は同じく側面図、図１５はハウジングにプッシュロッドを取り付けた状態の関係図、図１６はカバーの平面図、図１７は同じく側面図、図１８はカバーにばね片を形成した状態の平面図、図１９は同じく断面図、図２０及び図２１はＩＣカードと接触端子との接続状態の関係図である。
【００１６】
図において、ハウジング１は、合成樹脂などの絶縁材で略方形に形成されており、このハウジング１には、内部に後述するＩＣカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
複数の前記接触端子２ａは、その端子長さを、適宜異ならせた状態で前記ハウジング１に配設されており、本実施例では、前記接触端子２ａの７本中の真ん中に位置する３本が、左右に位置する４本よりも若干長くなるように形成されている。
また、前記ハウジング１の周面部には後述するカバー８を係合する係合爪部１ｂが複数個設けられている。
【００１７】
前記ハウジング１の一端側には、前記収納部１ａに連設して、平坦部１ｃが設けられており、この平坦部１ｃに後述するスライド部材６が配設されるものとなっている。また、前記平坦部１ｃの上端側には、後述するロック部材５を回動可能に係止する係止溝１ｄが設けられており、また、右側部には後述するプッシュロッド７をスライド移動可能にガイドするガイド溝１ｅが形成されたものとなっている。
【００１８】
また、前記平坦部１ｃの左上部には、長尺状の摺動溝１ｆが形成されている。この摺動溝１ｆに、後述するスライド部材６に設けられた摺動突部６ｃが摺動され、スライド部材６がＩＣカードの挿入／排出方向へスライド移動可能となっている。
また、前記平坦部１ｃの下端側には、スライド部材６の一端部が係止され、その回動を規制する規制壁１ｇが設けられている。
【００１９】
ＩＣカード３は、内部に集積回路（ＩＣ）が収納されており、記録媒体として広く使用されているものである。このＩＣカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記ＩＣカード３には、前記接点部３ａの形成側のその一隅部に、斜面状の切り欠き部３ｂが設けられている。この切り欠き部３ｂによって、前記ＩＣカード３をＩＣカード用コネクタに挿入する場合の誤挿入の検出を行っている。
【００２０】
ロック部材５は合成樹脂などの絶縁材で形成されており、このロック部材５の略中央には、前記ハウジング１の係止溝１ｄに係止される一対の係止軸５ａが形成されている。また、中央から延設された係止腕部５ｂの先端部には、後述するスライド部材６に係脱可能なフック状の係止部５ｃが形成されている。この係止部５ｃの先端側には傾斜部５ｄが設けられており、この傾斜部５ｄに後述するプッシュロッド７の解除操作部７ａが当接することにより、前記係止部５ｃが前記係止軸５ａを支点として回動するようになっている。
この場合、前記ロック部材５の回動方向は、前記ハウジング１内に着脱される前記ＩＣカード３の平坦面に直交する方向（上下方向）へ回動可能なように配設されるものとなっている。このため、左右方向への回動スペースを必要としないことから、前記ハウジング１の幅寸法を小さくすることが可能となっている。
【００２１】
また、前記ロック部材５の中央には、後述するスライド部材６を前記ＩＣカード３の排出方向へ付勢する復帰ばね４を係止する係止凹部５ｅが設けられている。この係止凹部５ｅの下端側には突起部５ｆが形成され、この突起部５ｆに前記復帰ばね４の巻端部が当接することにより、前記ロック部材５が下面側に回動され、前記係止腕部５ｂの先端の前記係止部５ｃが、後述するスライド部材６の係合突部６ａと係合する方向へ付勢されるようになっている。このため、前記ロック部材５の付勢用としてのばね部材を別途設ける必要がないことから、部品点数の削減が図れるものとなる。
【００２２】
スライド部材６は合成樹脂などの絶縁材で形成されており、このスライド部材６の一側部には前記ロック部材５の係止部５ｃと係合される係合突部６ａを有する係合腕部６ｂが設けられている。また、この係合腕部６ｂと並設して、自由端側に前記ハウジング１の摺動溝１ｆに摺動する摺動突部６ｃを有する摺動腕部６ｄが設けられている。この摺動腕部６ｄの前記摺動突部６ｃの近傍には、斜面からなる押圧面部６ｅと、この押圧面部６ｅに連設してフック部６ｆが形成されており、前記ＩＣカード３の挿着時に、前記フック部６ｆに前記ＩＣカード３の切り欠き部３ｂが当接することにより、前記スライド部材６が前記ＩＣカード３と共にＩＣカードの挿入方向へ移動されるものとなっている。また、前記押圧面部６ｅに前記ＩＣカード３の先端部が当接することにより、前記スライド部材６が前記摺動突部６ｃを支点として反時計方向へ回動するようになっている。
【００２３】
また、前記摺動腕部６ｄ、及び前記係合腕部６ｂと対向する他端側には、前記ハウジング１の平坦部１ｃに設けられた規制壁１ｇに当接し、その回動が規制される規制片部６ｇが形成されている。前記平坦部１ｃに配設された前記スライド部材６は、前記復帰ばね４によって前記摺動突部６ｃを中心として時計方向へ回動付勢されているが、前記規制片部６ｇが前記規制壁１ｇに当接することでその回動が規制されるものとなっている。また、前記規制片部６ｇの先端側には、後述するプッシュロッド７の係止段部７ｅと係合される係止突部６ｈが設けられたものとなっている。
【００２４】
また、前記摺動腕部６ｄの基部側には、前記ＩＣカード３側へ突出した押圧突部６ｉが設けられており、この押圧突部６ｉが前記復帰ばね４の付勢力によって前記ＩＣカード３の側面へ押し付けられることにより、前記ＩＣカード３は、常に前記ハウジング１の側壁に付勢された状態となり、前記ＩＣカード３が前記ハウジング１の収納部１ａから不用意に飛び出してしまうことを防止している。
また、前記スライド部材６には、段部からなるストッパー面６ｊが形成されており、前記ＩＣカード３の排出途上において、このストッパー面６ｊが後述するプッシュロッド７のストッパー部７ｄと当接されることにより、前記スライド部材６の移動が停止されるようになっている。
【００２５】
また、前記スライド部材６の略中央部には開口部６ｋが設けられており、この開口部６ｋに前記復帰ばね４が収納されている。前記スライド部材６は、前記ハウジング１の平坦部１ｃ内に配設され、前記復帰ばね４に付勢されながら、前記ハウジング１内を上下方向、即ち前記ＩＣカード３の挿入、排出方向へ移動可能となるように取り付けられるものとなっている。
【００２６】
プッシュロッド７は、薄板状の金属板を折り曲げて形成されており、長尺状の基板部７ａと、この基板部７ａの中央に直角に折り曲げられたロック板部７ｂとから形成されている。前記基板部７ａの延設された先端には、前記ロック部材５の前記係止部５ｃの先端に設けられた傾斜部５ｄに当接して、前記ロック部材５を回動させる解除操作部７ｃが形成されている。
また、前記ロック板部７ｂには、前記スライド部材６のストッパー面６ｊと当接するストッパー部７ｄが設けられており、このトッパー部７ｄの反対側には、前記スライド部材６の係止突部６ｈに係合する係合段部７ｅが形成されている。前記ストッパー部７ｄ及び前記係合段部７ｅに、前記ストッパー面６ｊ及び前記係止突部６ｈが当接／係合することで、前記スライド部材６の移動が規制されるものとなっている。
【００２７】
また、前記基板部７ａには、人間の指などで押圧操作される押釦部７ｆが取り付けられており、前記ＩＣカード３を裏返し、又は逆方向へ挿入した時には、この押釦部７ｆの取付側の端部が、前記ハウジング１の一側部に当接することにより前記ＩＣカード３の挿入方向への移動が阻止されるようになっている。
また、前記プッシュロッド７は、前記スライド部材６と共に前記ハウジング１に組み込まれ、前記基板部７ａが前記ハウジング１に設けられた前記ガイド溝１ｅにガイドされることで、前記ハウジング１内を移動するように配設されている。
【００２８】
カバー８は、金属性の板材から形成されており、このカバー８には平板状の上板部８ａと、この上板部８ａから直角に折り曲げられ、前記ハウジング１の係合爪部１ｂに係合される複数の係止窓部８ｂを有する横板部８ｃ、８ｃが形成されている。前記カバー８は、前記ハウジング１の開口部を覆うように前記ハウジング１の上面側に取り付けられるものとなっている。
【００２９】
また、図１８及び図１９に示すように、前記カバー８の上板部８ａに、切り起こすことによりばね片８ｄを設け、このばね片８ｄを前記ＩＣカード３の上面側に当接させてＩＣカード３を前記ハウジング１の底面側へ付勢するように形成しておけば、更に、前記ＩＣカード３が前記ハウジング１の収納部１ａから不用意に飛び出してしまうことを防止できる。
【００３０】
次に、上述したＩＣカード用コネクタの動作を図２２乃至図３１で説明する。図２２乃至図２９は、本発明のＩＣカード用コネクタの挿入／排出時の動作状態を示す説明図で、図２２はハウジングにＩＣカードを挿入する初期の状態を示す説明図、図２３はＩＣカードの挿入途上の状態を示す説明図、図２４はＩＣカードの挿入が終了した状態を示す説明図、図２５は同じくカードの挿入終了時でスライド部材がロックされた状態を示す説明図、図２６はプッシュロッドを押圧してスライド部材のロックを解除した状態を示す説明図、図２７はロックされたスライド部材を解除しＩＣカードが排出途上の状態を示す説明図、図２８は同じくＩＣカードの排出途上の状態を示す説明図、図２９はＩＣカードと接触端子との接触が外れてＩＣカードを排出する状態を示す説明図であり、また、図３０及び図３１はＩＣカードの挿入時にＩＣカードを裏返して挿入した状態を示す説明図である。
尚、図においてはロック部材とスライド部材、及びロック部材とプッシュロッドの係合／解除の状態を分かりやすくするために部分的に側面図で示している。
【００３１】
まず、前記ハウジング１の収納部１ａに前記ＩＣカード３を挿入する。この時、前記スライド部材６の前記フック部６ｆが前記ＩＣカード３の切り欠き部３ｂに当接し、前記スライド部材６はＩＣカードの挿入方向に押圧されることになる。この時、前記ＩＣカード３の側面部が、前記スライド部材６の押圧突部６ｉに当接され、前記復帰ばね４の付勢力によって前記ＩＣカード３は前記ハウジング１の側壁部へ押し付けられた状態となっている。（図２２）
【００３２】
この時、前記スライド部材６は、前記フック部６ｉを支点として前記復帰ばね４によって時計方向へ付勢されていることから、前記スライド部材６は反時計方向へは回動されずに、前記復帰ばね４の付勢力に抗してＩＣカードの挿入方向へ移動する。この時、前記スライド部材６に設けられた前記摺動突部６ｃが前記ハウジング１に設けられた前記摺動溝１ｆに沿って移動することになり、前記スライド部材６は前記ＩＣカード３と共にＩＣカードの挿入方向へ移動する。（図２３）
【００３３】
更に、前記復帰ばね４の付勢力に抗して前記カード３を挿入方向に押圧すると、前記スライド部材６はＩＣカードの挿入方向へ移動し、前記ＩＣカード３の前記接点部３ａは前記ハウジング１の接触端子２ａと接触される。そして前記ＩＣカード３が前記ハウジング１の収納部１ａの内縁部に当接した時点で挿入が停止され、前記ＩＣカード３の前記ハウジング１への挿着が完了する。これに伴い前記スライド部材６の移動も停止される。
【００３４】
この時、前記ロック部材５は前記スライド部材６と当接され、前記スライド部材６の移動に伴い前記係合突部６ａが前記ロック部材５の傾斜部５ｄを押圧することにより、前記ロック部材５が側面図で示す時計回りに回動する。この時、前記ロック部材５の係止腕部５ｂは前記復帰ばね４によって前記スライド部材６の係合腕部６ｂ側へ付勢されていることから、前記係合突部６ａが前記傾斜部５ｄから外れた時点で前記ロック部材５は側面図で示す反時計方向へ回動されることから、前記ロック部材５の前記係止部５ｃは前記スライド部材６の前記係合突部６ａと確実に対峙された状態となる。（図２４）
【００３５】
次に、前記ＩＣカード３への押圧を解除すると、前記スライド部材６は前記復帰ばね４の付勢力により、ＩＣカードの排出方向へ僅かだけ戻され、この時、前記係合突部６ａが前記ロック部材５の前記係止部５ｃと係合することでその位置に前記スライド部材６がロックされる。（図２５）
【００３６】
次に、前記ハウジング１に挿着した前記ＩＣカード３を排出する場合には、前記ＩＣカード３の挿着状態（図２５）から、待機位置にある前記プッシュロッド７の押釦７ｆを指などで押圧して、前記プッシュロッド７をＩＣカードの挿入方向へ押し込み位置まで移動させると、前記解除操作部７ｃが前記ロック部材５の傾斜部５ｄを押圧することにより、前記ロック部材５の係止腕部５ｂが側面図に示す時計方向へ回動され、前記ロック部材５の前記係止部５ｃが前記スライド部材６の係合突部６ａから外れた状態となる。（図２６）
【００３７】
そして、前記スライド部材６は前記復帰ばね４の付勢力によりＩＣカードの排出方向へと移動される。この時、前記プッシュロッド７の解除操作部７ｃは、金属板を折り曲げて一端側に薄板状に細長く延設された基板部７ａに形成されていることから、前記スライド部材６の移動を妨げないように配設することが可能となっている。また、配設に場所を取らないことから前記ハウジング１の幅寸法を小さく形成することができる。
【００３８】
前記スライド部材６がＩＣカードの排出方向へ移動するのに伴い、前記ＩＣカード３は、前記スライド部材６と共にＩＣカードの排出方向へ移動する。
この時、前記プッシュロッド７には前記ストッパー部７ｄが設けられており、押し込み位置では、このストッパー部７ｄに、ＩＣカードの排出方向へ移動された前記スライド部材６に設けられた前記ストッパー面６ｊが当接することにより、確実に、前記スライド部材６の移動が停止され、前記ＩＣカード３はこの前記プッシュロッド７の押し込み位置に停止されるものとなる。この時、前記ＩＣカード３の前記接点部３ａは、前記ハウジング１の接触端子２ａとの接触が一部（左右の４本）解除されるが、その一部（中央の３本）はまだ接触した状態となっている。（図２７）
【００３９】
この場合、前記スライド部材６が前記プッシュロッド７のストッパー部７ｄに当接した時に、前記復帰ばね４の付勢力が前記ＩＣカード３にも作用するが、前記ＩＣカード３の前記接点部３ａの一部が前記接触端子２ａの一部と接触するようにしたことから、前記接触端子２ａのばね圧によって前記ＩＣカード３を挟むことで、前記ＩＣカード３が前記ハウジング１の収納部１ａから飛び出すことを防止することができる。
【００４０】
次に、前記プッシュロッド７の押圧を解除すると、前記スライド部材６は前記復帰ばね４の付勢力によってＩＣカードの排出方向へと移動され、前記ＩＣカード３の前記接点部３ａと前記接触端子２ａとの接触が全て解除される。
この時、前記ＩＣカード３は、前記スライド部材６の押圧突部６ｉによってその側面部を押圧されていることから、前記接触端子２ａとの接触が解除されても、前記ハウジング１の収納部１ａから飛び出すことはない。（図２８）
【００４１】
更に、前記プッシュロッド７が初期の待機位置へと復帰すると、前記スライド部材６も初期状態へ復帰し、前記ＩＣカード３は排出位置へと移動され、前記ＩＣカード３は前記ハウジング１の前記収納部１ａから排出されるものとなっている。（図２９）
【００４２】
上記の本発明の実施例によれば、押圧操作によって前記ロック部材５のロックを解除して、前記スライド部材６を前記カード３の排出位置まで移動させる前記プッシュロッド７に、前記スライド部材６が前記ＩＣカード３の排出方向へ移動するのを阻止するストッパー部７ｄを設け、前記プッシュロッド７が前記押し込み位置まで押圧された時に、前記ＩＣカード３の接点部３ａが前記ハウジング１の複数の接触端子２ａの全てから離脱する前に、前記スライド部材６が前記ストッパー部７ｄに当接するように形成したことから、確実に、前記スライド部材６の移動を停止させると共に、前記ＩＣカード３を前記プッシュロッド７の押し込み位置に停止させ、前記ＩＣカード３が前記ハウジング１の収納部１ａから飛び出すことを防止することができるものとなっている。
【００４３】
また、前記スライド部材６、及び前記プッシュロッド７の復帰用のばねと、前記ロック部材５を回動付勢する付勢用のばねとを一つの前記復帰ばね４で兼用したことから、複数のばねを別途設ける必要がなく、部品点数を削減でき、構成を簡単にできる。
【００４４】
図３０及び３１は、ＩＣカードの挿入時にＩＣカードを誤って裏返して挿入した状態を示しており、前記ＩＣカード３に設けられた切り欠き部３ｂは、前記スライド部６の配設位置とは反対側（図示左側）に位置している。
この場合、前記ＩＣカード３の挿入途上において、前記ＩＣカード３の前端部（図面右前）が、前記スライド部材６の斜面からなる前記押圧面部６ｅに当接し、この押圧面部６ｅを押圧することから、前記スライド部材６は前記摺動突部６ｃを中心に反時計方向へ回動するものとなる。この時、前記スライド部材６の前記摺動突部６ｃと対向する一端側に設けられた前記係合突部６ｈが、回動され、前記プッシュロッド７に設けられた係合段部７ｅに係合される。（図３０）
【００４５】
この状態から、更に、前記ＩＣカード３挿入すると、前記係合突部６ｈと前記係合段部７ｅが係合した状態で前記スライド部材６が前記ＩＣカード３と共にＩＣカードの挿入方向へと移動する。この時、前記プッシュロッド７も前記スライド部材６と共にＩＣカードの挿入方向へ移動するが、前記押釦部７ｆの取付側の端部が、前記ハウジング１の一側部に当接することにより、それ以上の前記ＩＣカード３の挿入方向への移動が阻止されるものとなる。（図３１）
【００４６】
この場合、これ以上前記ＩＣカード３を挿入方向へ挿入できないことから、前記ハウジング１に配設された前記接触端子２ａを誤って破損することを防止できる。また、この状態では、前記スライド部材６は前記ロック部材５にロックされる位置まで移動されないことから、前記ＩＣカード３への押圧を止めれば、前記ＩＣカード３は前記復帰ばね４の復帰力によりＩＣカードの挿入初期位置まで戻ってくるため、誤挿入を容易に判断することが可能となっている。
【００４７】
また、前記ＩＣカード３の前端部と当接する前記押圧面部６ｉを、前記スライド部材６に形成し、前記スライド部材６を回動可能に配設すると共に、前記スライド部材６の一端部に前記係合段部７ｅと係合する前記係止突部６ｈを形成したことから、前記ＩＣカード３を挿着完了の直前位置まで押し込まなくても誤挿入を判断することが可能で、操作性も良好となり、前記接触端子２ａの変形や損傷を招いてしまう虞もなくなる。
また、新たに板ばね等を前記ＩＣカード３の挿入路の途中に突出させる必要もないので、部品点数の削減が図れるものとなる。
【００４８】
尚、上記実施例においては、前記接点部３ａ、前記接触端子２ａが面接点タイプのカード用コネクタで説明したが、ピン／ソケットタイプのＩＣカード用コネクタにも適用できるのはもちろんである。
【００４９】
【発明の効果】
以上説明したように、本発明のＩＣカード用コネクタは、押圧操作によってロック部材のロックを解除して、スライド部材をＩＣカードの排出位置まで移動させるプッシュロッドに、スライド部材がＩＣカードの排出方向へ移動するのを阻止するストッパー部を設け、プッシュロッドが押し込み位置まで押圧された時、スライド部材は、ＩＣカードの接点部が複数の接触端子の全てから離脱する前にストッパー部に当接すると共に、プッシュロッドが待機位置に移動するのに伴ってＩＣカードの排出位置に移動するように形成したことから、確実に、スライド部材の移動を停止させると共に、ＩＣカードをプッシュロッドの押し込み位置に停止させ、ＩＣカードがハウジングの収納部から飛び出すのを防止することができる。
【００５０】
また、ハウジングには、複数の接触端子の端子長さを、適宜異ならせた状態で配設し、ＩＣカードの挿着時には、接触端子とＩＣカードの接点部との接触位置をそれぞれ異ならせると共に、スライド部材は、ＩＣカードの接点部が、適宜長さの異なる接触端子の一部の接触端子と接触した状態においてストッパー部に当接するように形成したことから、接触端子のばね圧によってＩＣカードを挟むことで、ＩＣカードがハウジングの収納部から飛び出すことを防止することができる。
【００５１】
また、ＩＣカードがスライド部材と共にＩＣカードの排出方向へ移動可能とし、スライド部材を付勢する復帰ばねにより、プッシュロッドを押し込み位置から待機位置に復帰させるようにしたことから、複数のばねを別途設ける必要がなく、部品点数を削減でき、構成を簡単にできる。
【００５２】
また、ロック部材は、プッシュロッドの押圧操作によってハウジング内に着脱されるＩＣカードの平坦面に直交する方向へ回動可能なように配設されると共に、スライド部材を付勢する復帰ばねにより、ロック部材をロック位置へ付勢するように形成したことから、左右方向への回動スペースを必要としないため、ハウジングの幅寸法を小さくすることが可能となる。また、ロック部材の付勢用としてのばね部材を別途設ける必要がないため、部品点数の削減が図れる。
【００５３】
また、スライド部材は、ハウジング内にスライド移動可能に配設されていると共に、復帰ばねでＩＣカード側へ回動可能に付勢されていることから、部品点数を増やさず、簡単な構成でＩＣカードの飛び出しを防止できる。
【００５４】
また、スライド部材には、ＩＣカードの側面部に当接し、ＩＣカードをハウジングの内壁部に押圧する押圧突部を形成したことから、ＩＣカードは接触端子との接触が解除されても、ハウジングの収納部から飛び出すことはない。
【００５５】
また、ハウジングの上面側に、平板状の金属板からなるカバー部材を備え、このカバー部材にＩＣカードの上面部を押圧するばね片を切り曲げ形成したことから、更に、ＩＣカードがハウジングの収納部から不用意に飛び出してしまうことを防止できる。
【図面の簡単な説明】
【図１】本発明の１実施例であるＩＣカード用コネクタを示す平面図である。
【図２】本発明の同じくＩＣカード用コネクタのカバーを外した状態を示す平面図である。
【図３】本発明の同じくハウジングを示す平面図である。
【図４】本発明の同じくハウジングを示す正面図である。
【図５】本発明の同じくＩＣカードを示す平面図である。
【図６】本発明の同じくＩＣカードを示す底面図である。
【図７】本発明の同じくスライド部材を示す平面図である。
【図８】本発明の同じくスライド部材を示す側面図である。
【図９】本発明の同じくロック部材を示す平面図である。
【図１０】本発明の同じくロック部材を示す側面図である。
【図１１】本発明の同じくロック部材とハウジングの取付状態を示す関係図である。
【図１２】本発明の同じくスライド部材とロック部材をハウジングに取り付けた状態を示す関係図である。
【図１３】本発明の同じくプッシュロッドを示す平面図である。
【図１４】本発明の同じくプッシュロッドを示す側面図である。
【図１５】本発明の同じくハウジングにプッシュロッドを取り付けた状態を示す関係図である。
【図１６】本発明の同じくカバーを示す平面図である。
【図１７】本発明の同じくカバーを示す側面図である。
【図１８】本発明の同じくカバーにばね片を形成した状態を示す平面図である。
【図１９】本発明の同じくカバーにばね片を形成した状態を示す断面図である。
【図２０】本発明の同じくＩＣカードと接触端子との接続状態を示す関係図である。
【図２１】本発明の同じくＩＣカードと接触端子との接続状態を示す関係図である。
【図２２】本発明のハウジングにＩＣカードを挿入する初期の状態を示す説明図である。
【図２３】本発明のＩＣカードの挿入途上の状態を示す説明図である。
【図２４】本発明のＩＣカードの挿入が終了した状態を示す説明図である。
【図２５】本発明の同じくカードの挿入終了時でスライド部材がロックされた状態を示す説明図である。
【図２６】本発明のプッシュロッドを押圧してスライド部材のロックを解除した状態を示す説明図である。
【図２７】本発明のロックされたスライド部材を解除しＩＣカードが排出途上の状態を示す説明図である。
【図２８】本発明の同じくＩＣカードの排出途上の状態を示す説明図である。
【図２９】本発明のＩＣカードと接触端子との接触が外れてＩＣカードを排出する状態を示す説明図である。
【図３０】本発明のＩＣカードの挿入時にＩＣカードを裏返して挿入した状態を示す説明図である。
【図３１】本発明の同じくＩＣカードの挿入時にＩＣカードを裏返して挿入した状態を示す説明図である。
【符号の説明】
１  ハウジング
１ａ  収納部
１ｂ  係合爪部
１ｃ  平坦部
１ｄ  係止溝
１ｅ  ガイド溝
１ｆ  摺動溝
１ｇ  規制壁
２ａ  接触端子
２ｂ  接続端子
３  ＩＣカード
３ａ  接点部
３ｂ  切り欠き部
４  復帰ばね
５  ロック部材
５ａ  係止軸
５ｂ  係止腕部
５ｃ  係止部
５ｄ  傾斜部
５ｅ  係止凹部
５ｆ  突起部
６  スライド部材
６ａ  係合突部
６ｂ  係合腕部
６ｃ  摺動突部
６ｄ  摺動腕部
６ｅ  押圧面部
６ｆ  フック部
６ｇ  規制片部
６ｈ  係止突部
６ｉ  押圧突部
６ｊ  ストッパー面
６ｋ  開口部
７  プッシュロッド
７ａ  基板部
７ｂ  ロック板部
７ｃ  解除操作部
７ｄ  ストッパー部
７ｅ  係合段部
７ｆ  押釦部
８  カバー
８ａ  上板部
８ｂ  係止窓部
８ｃ  横板部
８ｄ  ばね片
【図１】
0003765705.tif 000002
【図２】
0003765705.tif 000003
【図３】
0003765705.tif 000004
【図４】
0003765705.tif 000005
【図５】
0003765705.tif 000006
【図６】
0003765705.tif 000007
【図７】
0003765705.tif 000008
【図８】
0003765705.tif 000009
【図９】
0003765705.tif 000010
【図１０】
0003765705.tif 000011
【図１１】
0003765705.tif 000012
【図１２】
0003765705.tif 000013
【図１３】
0003765705.tif 000014
【図１４】
0003765705.tif 000015
【図１５】
0003765705.tif 000016
【図１６】
0003765705.tif 000017
【図１７】
0003765705.tif 000018
【図１８】
0003765705.tif 000019
【図１９】
0003765705.tif 000020
【図２０】
0003765705.tif 000021
【図２１】
0003765705.tif 000022
【図２２】
0003765705.tif 000023
【図２３】
0003765705.tif 000024
【図２４】
0003765705.tif 000025
【図２５】
0003765705.tif 000026
【図２６】
0003765705.tif 000027
【図２７】
0003765705.tif 000028
【図２８】
0003765705.tif 000029
【図２９】
0003765705.tif 000030
【図３０】
0003765705.tif 000031
【図３１】
0003765705.tif 000032